(57)【要約】【課題】ユーザの誤操作を防止できるようにする。【解決手段】撮像装置であって、撮像手段と、ユーザからの記録停止の指示、及び、前記撮像手段による撮像のための機能に関する設定を変更するための変更の指示を入力する指示手段と、前記撮像手段からの画像を記録媒体に記録する記録手段と、前記撮像装置の落下の加速度を検出する第１の検出手段と、前記第１の検出手段により検出された前記撮像装置の落下の加速度がある一定以上の値となったときに、前記記録手段が画像の記録中であると検出した場合に、前記指示手段からの、前記記録停止の指示及び前記変更の指示の入力を共に受け付けないよう制御する制御手段とを有する。【選択図】図１
2017158144.tif 000002
【特許請求の範囲】
【請求項１】
撮像装置であって、
撮像手段と、
ユーザからの記録停止の指示、及び、前記撮像手段による撮像のための機能に関する設定を変更するための変更の指示を入力する指示手段と、
前記撮像手段からの画像を記録媒体に記録する記録手段と、
前記撮像装置の落下の加速度を検出する第１の検出手段と、
前記第１の検出手段により検出された前記撮像装置の落下の加速度がある一定以上の値となったときに、前記記録手段が画像の記録中であると検出した場合に、前記指示手段からの、前記記録停止の指示及び前記変更の指示の入力を共に受け付けないよう制御する制御手段とを有することを特徴とする撮像装置。
【請求項２】
前記撮像装置の高度を検出する第２の検出手段をさらに有し、
前記制御手段は、前記第１の検出手段により検出された前記撮像装置の落下の加速度がある一定以上の値となり、かつ、前記第２の検出手段により検出された前記撮像装置の高度の時間的変化がある一定値以上であったときに、前記記録手段が画像の記録中であると検出した場合には、前記指示手段からの、前記記録停止の指示及び前記変更の指示の入力を共に受け付けないよう制御することを特徴とする請求項１に記載の撮像装置。
【請求項３】
撮像装置であって、
撮像手段と、
ユーザからの記録開始の指示と記録停止の停止とを入力する指示手段と、
前記撮像手段からの画像を記録する記録手段と、
前記撮像装置の落下の加速度を検出する第１の検出手段と、
前記撮像装置の高度を検出する第２の検出手段と、
前記第１の検出手段により検出された前記撮像装置の落下の加速度がある一定以上の値となり、かつ、前記第２の検出手段により検出された前記撮像装置の高度の時間的変化がある一定値以上であったときに、前記記録手段が画像の記録中でないと検出した場合には、前記指示手段からの記録開始の指示の有無に関わらず、自動的に前記記録手段による画像の記録を開始するように制御する制御手段とを有することを特徴とする撮像装置。
【請求項４】
前記第１の検出手段は、加速度センサであることを特徴とする請求項１〜３の何れか１項に記載の撮像装置。
【請求項５】
前記第２の検出手段は、高度センサであることを特徴とする請求項２〜４の何れか１項に記載の撮像装置。
【請求項６】
撮像装置の動きを検出して動き検出値を求めるとともに、記録媒体の動作状態を検出し、前記動き検出値がある一定以上の値となったときに、前記記録媒体の状態が記録中である場合には、前記記録媒体の動作状態を変更する命令は受け付けないよう制御することを特徴とする撮像装置の制御方法。
【請求項７】
撮像装置の動きを検出して動き検出値を求めるとともに、撮像装置の高度の時間的変化を求め、かつ、記録媒体の動作状態を検出し、前記動き検出値がある一定以上の値となり、前記撮像装置の高度の時間的変化がある一定値以上であったときに、前記記録媒体の動作状態が記録中でない場合には、前記記録媒体への記録を開始するよう制御することを特徴とする撮像装置の制御方法。
【発明の詳細な説明】
【技術分野】
【０００１】
本発明は撮像装置及び撮像装置の制御方法に関し、特に、カメラ本体の状態を検知して、操作・動作を制御する技術に関するものである。
【背景技術】
【０００２】
ハードディスクの小型化・高容量化・低消費電力化・低価格化が進むにつれて、デジタルビデオカメラの記憶媒体が磁気テープからハードディスクに変わってきた。ハードディスクドライブは落下等の衝撃に弱く、ディスクに傷が付いてしまうと大切なコンテンツを消失してしまう。このことを防ぐため引用文献１に示すようにビデオカメラ自身が常に落下の検知をし続け、落下を検知していない時のみにハードディスクをアクティブ状態にして被写体を記録できるように制御が行われてきた。
【０００３】
最近ではメモリの高容量化・低価格化が更に進み、ビデオカメラの記憶媒体の主流となっている。メモリはハードディスクのように物理的に接触する可能性がある部分がないため、落下検出をする必要がなく、常に記録をアクティブ状態にすることができる。このように、記憶媒体を保護する目的での発明はすでに成されている。
【先行技術文献】
【特許文献】
【０００４】
【特許文献１】特開２００９−２５２３０５号公報
【発明の概要】
【発明が解決しようとする課題】
【０００５】
しかしながら、落下した時のユーザの補助という観点での制御に関しては発明されていない。例えば、自由落下するスポーツ・遊戯中にユーザ自身がビデオカメラの撮影を行なった場合、ユーザが自由落下等の体感でびっくりして、撮影開始ボタンを押すことができなかったり、間違った操作をしてしまったりするという課題が存在する。
本発明は前述の問題点に鑑み、ユーザの誤操作を防止できるようにすることを目的とする。
また、撮像装置の動きを撮像装置自身が検出し、その検出結果と記録状態に応じて記録開始を自動で行うことができるようにすることを目的とする。
【課題を解決するための手段】
【０００６】
本発明の撮像装置は、撮像装置であって、撮像手段と、ユーザからの記録停止の指示、及び、前記撮像手段による撮像のための機能に関する設定を変更するための変更の指示を入力する指示手段と、前記撮像手段からの画像を記録媒体に記録する記録手段と、前記撮像装置の落下の加速度を検出する第１の検出手段と、前記第１の検出手段により検出された前記撮像装置の落下の加速度がある一定以上の値となったときに、前記記録手段が画像の記録中であると検出した場合に、前記指示手段からの、前記記録停止の指示及び前記変更の指示の入力を共に受け付けないよう制御する制御手段とを有することを特徴とする。
【発明の効果】
【０００７】
本発明によれば、ユーザの誤操作を防止することが可能となり、ユーザの考えとは異なる映像が撮影されたり、撮影中の映像が途切れたりするのを防止することができる。
また、本発明の他の特徴によれば、撮像装置の動きを撮像装置自身が検出し、その検出結果と記録状態に応じて記録開始を自動で行うことができ、撮影開始の操作のし忘れを防止することができる。
【図面の簡単な説明】
【０００８】
【図１】本発明の実施形態における撮像装置の構成例を示すブロック図である。
【図２】本発明の実施形態における高度センサの出力例を示す特性図である。
【図３】本発明の実施形態における撮像装置の動作を説明するフローチャートである。
【発明を実施するための形態】
【０００９】
＜第１の実施形態＞
図１は、本発明の実施形態における撮像装置の構成例を示すブロック図である。
固定レンズ１００は、被写体の結像用レンズの一番前側にあるレンズである。絞り機構１０１は、入射光量を制御する機構である。絞り位置制御部１０７は、絞り機構１０１を制御するブロックである。フォーカスレンズ１０２は、被写体を合焦させるためのレンズである。フォーカスレンズ位置制御部１０８は、フォーカスレンズ１０２の位置を制御する。
【００１０】
絞り位置制御部１０７とフォーカスレンズ位置制御部１０８は、それぞれレンズ制御部１０９の命令によって動作する。
センサ１０３は、フォーカスレンズ１０２から入射した光を光電変換するセンサである。
カメラ信号処理部１０４は、階調補正後、色分離、色差マトリクス等の処理を施した後に、同期信号を加え標準テレビジョン信号を生成したりする制御機能を有する。
【００１１】
記録信号処理部１０５は、カメラ信号処理部１０４にて処理された信号を映像として記録するための処理を施す。この記録信号処理部１０５を通して表示部１０６や記録媒体１１６に映像を流す。
記録開始および停止ボタン１１２は、ユーザが記録を開始・停止させるための記録指示ボタンである。記録信号処理部１０５は、マイクロコンピュータ１１０がユーザからの記録開始の指示、記録停止の指示に応じて画像を記録媒体に記録し、また、記録停止の指示に応じて記録を停止する。
カメラ機能設定部１１３は、カメラの各種機能を設定するためのブロックであり、例えば、絞りの位置やフォーカスのピント位置や画質設定を指示するときに使用する。カメラ機能設定部１１３は、撮像装置の状態を変更するブロックとして使用される。
【００１２】
加速度センサ１１４はカメラに加わる加速度を計測してカメラの動き検出を実行するためのセンサであり、高度センサ１１５はカメラの高度を計測するための高度検出センサである。本実施形態において、加速度センサ１１４は、撮像装置の動きを検出して動き検出値を出力する第１の検出手段であり、高度センサ１１５は、撮像装置の高度を検出する第２の検出手段である。
ＵＩ操作制御部１１１は、加速度センサ１１４や高度センサ１１５の情報により、記録開始および停止ボタン１１２や、カメラ機能設定部１１３の情報を統合して制御を行う。
マイクロコンピュータ１１０は、ＵＩ操作制御部１１１からの指示を受け、カメラ信号処理部１０４や記録信号処理部１０５やレンズ制御部１０９に命令を出力する。記録信号処理部１０５は、マイクロコンピュータ１１０がユーザからの記録開始の指示に応じて画像を記録媒体に記録し、また、記録停止の指示に応じて記録を停止する。
【００１３】
例えば、スカイダイビングの様子をビデオカメラで撮影しようとしており、ダイビングする人自身が撮影者になって、撮影者が撮影前に露出調整を目的として絞り値を好みの値に設定するためカメラ機能設定部１１３を操作していたとする。この場合は、加速度センサ１１４は特に大きな値を出力していないため、ＵＩ操作制御部１１１は撮影者の操作を受け付け、マイクロコンピュータ１１０を通じてレンズ制御部１０９に絞りを動作させるよう命令を出力する。
【００１４】
ここで、撮影者が絞り設定ができる状態のままで撮影を開始したとする。その状態でダイビングをした場合、飛行機等の航空機から飛び降りたときのバランスとりなどで、カメラへの意識は非常に低下する。そのため、カメラが自分の体の一部などに当たり、カメラ機能設定部１１３が知らないうちに動作されてしまったりする恐れがある。
【００１５】
その対策として、加速度センサ１１４がカメラの加速度を検出し、その値がある一定以上の値であり、かつ記録信号処理部１０５からの情報で現在記録中であれば、ＵＩ操作制御部１１１がカメラ機能設定部１１３の操作による指示を禁止する。これにより、ユーザの考えとは異なった映像が撮影されることを防止できる。
【００１６】
また、記録開始および停止ボタン１１２の操作に対しても同様な制御を行うことにより、記録が途切れてしまうことを防ぐことができる。本実施形態では、カメラ設定と記録用ボタンの２種類を例として説明したが、ビデオカメラの設定を行う操作全般に対して同じ構成をとる場合も同じ効果を得ることができる。
【００１７】
また、ＵＩ操作制御部１１１の制御のきっかけとなる情報源として、前述の例では加速度センサ１１４による加速度情報のみであったが、高度センサ１１５を併用するとより精度が高まる。それを、図２を使用して説明する。
図２の（１）では高度変化がないので、（２）でカメラの落下などにより大きな加速度が検出されても、スカイダイビング等で生じたものではなく、撮影時のカメラの落下等であると判定し、カメラとしては何もしない。
【００１８】
（３）では、（４）の高度に至るまで短時間で大幅な高度上昇があるため、スカイダイビング準備やジェットコースターで高度が上昇していると判定し、ＵＩ操作制御部１１１により様々な操作を禁止する。
（５）では、（６）の高度に至るまで非常に長い時間をかけて高度が上昇している。例えば、１２時間かけての高度上昇では登山等、スカイダイビング等のスポーツではないと判定する。必ずしも登山ではないと考えられるが、確率としてはスカイダイビングより登山の方が高いと考えられる。
【００１９】
加速度センサ１１４により得られる動き検出値がある一定以上の値であり、かつ高度センサ１１５の検出値の時間的変化がある一定値以上であったとき、現在記録中であれば、ＵＩ操作制御部１１１がカメラ機能設定部１１３の操作による指示を遮断する。また、記録開始および停止ボタン１１２の操作に対しても同様な制御を行うことにより、記録が途切れてしまうことを防ぐことができる。
このように、加速度だけではなく高度変化を判定要素に加えることにより、より高い精度で必要な時に誤操作を防止することができる。
【００２０】
本実施形態において、スカイダイビングやジェットコースターなど自由落下するスポーツ・遊戯中に、スポーツや遊戯をしているユーザ自身がビデオカメラで撮影を行う場合、ビデオカメラの動作を制御するようにした。この場合、ビデオカメラの動作をカメラ自身が検出して、その検出結果と記録状態に応じてビデオカメラの動作を制限する。そのことにより、自由落下等の急激な体感による誤操作を防止し、ユーザの考えとは異なった映像が撮影されることを防止したり、記録映像が途切れたりするのを防止することができる。
【００２１】
＜第２の実施形態＞
第２の実施形態における撮像装置の構成は、図１に示した第１の実施形態における構成と同様である。第１の実施形態では記録中の制御を示したが、第２の実施形態では記録中でない場合の制御を示す。
スカイダイビングで飛行機等の航空機から飛び降りたときに、撮影を行うためのビデオカメラを持ちながら撮影開始をしないのは不自然である。
【００２２】
そのため、高度センサ１１５の出力の高度が短時間に大幅に上昇した時は、スカイダイビング準備やジェットコースターで高度が上昇していると判定する。そして、加速度センサ１１４の出力がある一定以上を超えて、ビデオカメラが記録中でない場合は、自動的に画像の記録を開始する。これにより、自由落下等の急激な体感や恐怖による撮影開始の操作のし忘れを防止することができる。
【００２３】
本実施形態において、スカイダイビングやジェットコースターなど自由落下するスポーツ・遊戯中に、スポーツや遊戯をしているユーザ自身がビデオカメラで撮影を行う場合、記録を強制的に開始するようにした。この場合、ビデオカメラの動作をカメラ自身が検出して、その検出結果と記録状態に応じてビデオカメラの撮影開始動作を強制的に動作させる。そのことにより、自由落下等の急激な体感や恐怖による撮影開始の操作のし忘れを防止することができる。
【００２４】
以上説明してきた第１の実施形態と第２の実施形態の動作を図３のフローチャートを用いて説明する。
まず、Ｓ３０１で、制御手段としてのＵＩ操作制御部１１１は、ビデオカメラの落下等により、或る一定以上の加速度が加速度センサ１１４により検出されたか否かを判定する。判定の結果、検出された場合はＳ３０２に進み、検出されなかった場合はＳ３０１で待機する。
Ｓ３０２において、ＵＩ操作制御部１１１は、高度センサ１１５の出力により短時間で高度が上昇してきたか否かを判定する。上昇してきたと判定された場合、Ｓ３０３へ進み、短時間で高度が上昇してきたと判定されなかった場合、Ｓ３０1へ戻り、待機する。
【００２５】
Ｓ３０３において、ＵＩ操作制御部１１１によりＵＩ操作を強制的に禁止し、設定を変更するための変更の指示の入力を禁止する。その後、Ｓ３０４へ進む。
Ｓ３０４において、ＵＩ操作制御部１１１は、カメラが記録媒体１１６に記録中か否かの判定を行う。この判定は、記録媒体１１６の動作状態を検出して行う。Ｓ３０４で行われる状態検出処理において、記録中であればＳ３０６へ進み（第１の実施形態）、記録中でなければＳ３０５へ進む（第２の実施形態）。
Ｓ３０５において、ＵＩ操作制御部１１１は、記録開始および停止ボタン１１２の指示の有無に関らず記録媒体１１６に記録するよう制御し、自動的にカメラの記録開始を行い、その後、Ｓ３０６へ進む。
【００２６】
Ｓ３０６において、ＵＩ操作制御部１１１は、カメラの加速度が一定値以下であるか否かを判定する。加速度が一定値以下であった場合、Ｓ３０７へ進み、一定値以上であった場合はＳ３０６で一定値以下になるまで待機する。
Ｓ３０７では、ＵＩ操作制御部１１１は、カメラの記録を継続させ、Ｓ３０８へ進む。
Ｓ３０８では、ＵＩ操作制御部１１１は、ＵＩ操作禁止を解除して処理を終了する。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。前述の実施形態の一部を適宜組み合わせてもよい。
【００２８】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００２９】
１１０  マイクロコンピュータ
１１１  ＵＩ操作制御部
１１２  記録開始および停止ボタン
１１３  カメラ機能設定部
１１４  加速度センサ
１１５  高度センサ
【図１】
2017158144.tif 000003
【図２】
2017158144.tif 000004
【図３】
2017158144.tif 000005